(57)【要約】【課題】接続ホース内に残留した生コンクリートを圧縮空気の圧力で圧送排出して接続ホース内の残留物を排除すると共に、接続ホースの継ぎ足し、移動などの作業が容易にでき、作業者の労力負担を軽減できるようにした生コンクリート供給管の残留物排除装置を提供する。【解決手段】生コンクリートポンプ車４０の配管２０と、生コンクリート打設位置までの接続ホース３０との間に常時接続される継合せ管１０と、前記継合せ管１０に挿入される開閉弁１１付きの圧縮空気供給管１２とからなり、圧縮空気供給管１２から継合せ管１０に供給される圧縮空気の圧力により、接続ホース３０内に残留する生コンクリートを接続ホース３０出口３０１へ排出できるようにしたもの。【選択図】　　図１
2004034431.tif 000002
【特許請求の範囲】
【請求項１】
生コンクリートポンプ車４０の配管２０と、生コンクリート打設位置までの接続ホース３０との間に常時接続される継合せ管１０と、前記継合せ管１０に挿入される開閉弁１１付きの圧縮空気供給管１２とからなり、圧縮空気供給管１２から継合せ管１０に供給される圧縮空気の圧力により、接続ホース３０内に残留する生コンクリートを、接続ホース３０出口３０１へ排出できるようにしたことを特徴とする生コンクリート供給管の残留物排除装置。
【請求項２】
前記継合せ管１０の接合部１０１に閉止蓋１１０Ｃを取り付け、継合せ管１０の他方の接合部１０２に接続ホース３０を接続出来るようにしたことを特徴とする請求項１記載の生コンクリート供給管の残留物排除装置。
【発明の詳細な説明】
【０００１】
【発明の属する技術分野】
本発明は、建築現場などで生コンクリートを打ち込む際に、使用される生コンクリート供給管の残留物排除装置に関する。
【０００２】
【従来の技術】
従来、建築現場などで生コンクリート（セメントと砂等の骨材とを水で練った未硬化のコンクリート）を打ち込む際には、生コンクリートポンプ車から供給される生コンクリートを、ポンプ車からの配管と、その都度、その都度に接続される接続ホースとによって、所望の場所や必要な型枠内に導いて投入することが行われている。　この場合、生コンクリートポンプ車から生コンクリートの供給が停止すると、接続ホース内に生コンクリートが滞留し、そのため、生コンクリートを打設する場所を変える際に、接続ホースを継ぎ足したり或いは取り外したりするとき、接続ホースが重かったり、取り外した接続ホースから残留生コンクリートが流れ出し周囲を汚してしまう等の欠点があった。
そこで、本発明者は、圧縮空気供給管を設けた継合せ管を、ポンプ車からの配管と接続ホースの間に接続し、接続ホースに圧縮空気を圧送することにより、接続ホース内の生コンクリートを、ホース出口へ排出して接続ホース内の残留物を排除することができるようにした。
【０００３】
【発明が解決しようとする課題】
本発明は、接続ホース内に残留した生コンクリートを、圧縮空気の圧力で圧送排出して接続ホース内の残留物を排除すると共に、接続ホースの継ぎ足し、移動などの作業が容易にでき、作業者の労力負担を軽減できるようにした生コンクリート供給管の残留物排除装置を提供するものである。
【０００４】
【課題を解決するための手段】
本発明の生コンクリート供給管の残留物排除装置は、上記課題を達成するため、図示するように、生コンクリートポンプ車４０の配管２０と、生コンクリート打設位置までの接続ホース３０との間に常時接続される継合せ管１０と、前記継合せ管１０に挿入される開閉弁１１付きの圧縮空気供給管１２とからなり、圧縮空気供給管１２から継合せ管１０に供給される圧縮空気の圧力により、接続ホース３０内に残留する生コンクリートを、接続ホース３０出口３０１へ排出できるようにしたものである。
また、本発明の生コンクリート供給管の残留物排除装置は、上記課題を達成するため、図示するように、前記継合せ管１０の接合部１０１に閉止蓋１１０Ｃを取り付け、継合せ管１０の他方の接合部１０２に接続ホース３０を接続出来るようにしたものである。
本発明において、圧縮空気供給管は、生コンクリートポンプ車等に搭載する空気圧縮用コンプレッサーから供給されることが好ましく、また、圧縮空気供給管の開閉弁は圧力計付きが好ましい。
【０００５】
【発明の実施の形態１】
本発明の実施の形態１が、図１乃至図３に示されている。
本発明の実施例の生コンクリート供給管の残留物排除装置は、図１に示すように、生コンクリートポンプ車４０の配管２０と、生コンクリート打設位置までの接続ホース３０と、継合せ管１０とを備えている。
配管２０は、一端を生コンクリートポンプ車のポンプ部（図示しない）出口に接続され、他端を継合せ管１０に接続され、ポンプ部から圧送される生コンクリートを継合せ管１０を経て接続ホース３０へ供給する。
接続ホース３０は、一端を継合せ管１０に接続できるようにし、生コンクリート打設位置のホース出口３０１まで、生コンクリートを供給できるように設けられている。
継合せ管１０は、図２及び図３に示すように、前記配管２０に接続ジョイント１０４とゴムパッキン１０４１により接続する接合部１０１と、前記接続ホース３０に接続ジョイント１０４とゴムパッキン１０４１により接続する接合部１０２と、その間をつなぐ胴部１００を設けると共に、胴部１００の外側に開口部１０３を通じて圧縮空気開閉弁１１とそれに連続する圧縮空気供給管１２を連設し、圧縮空気供給管１２の後端は圧縮空気源４１に接続されている。
従って、生コンクリート打設位置が変わって、ほぼ水平に設置された接続ホース３０を継ぎ足したり、取り外したりする際、また、作業終了し接続ホース３０を収納する際、生コンクリート供給用ポンプ（図示しない）を停止し、継合せ管１０に設けられた圧縮空気開閉弁１１を開き、圧縮空気源４１から圧縮空気供給管１２を通じ前記接続ホース３０内へ圧縮空気を圧送すれば、空気圧により接続ホース３０内の残留生コンクリートは、ホース出口３０１を経て排出され、接続ホース３０は内部に生コンクリートが残留しなくなるので、継ぎ足し、取り外しや収納を容易に行うことが出来る。
【０００６】
【発明の実施の形態２】
本発明の実施の形態２が、図４に示されている。
本発明の実施例の生コンクリート供給管の残留物排除装置は、ブーム２０Ｂ付きの生コンクリートポンプ車４０Ｂに接続されている。
ブーム２０Ｂは、一端をポンプ部出口（図示しない）に接続され、ポンプ部から圧送される生コンクリートを、建物などの高い位置の継合せ管１０を経て接続管３０Ｂへ供給する。
その他の構成及び作用は、発明の実施の形態１と同様であるので詳細説明は省略する。
【０００７】
【発明の実施の形態３】
本発明の実施の形態３が、図５及び図６に示されている。
本発明の実施例の生コンクリート供給管の残留物排除装置は、継合せ管１０の接合部１０１に接続ジョイント１０４とゴムパッキン１０４１により閉止蓋１１０Ｃを取り付け、他端の接合部１０２に接続ホース３０が接続されている。
従って、生コンクリートポンプ車の圧縮空気源から離れた位置の接続ホース３０の移動や収納する際に、他の圧縮空気源５０に接続された圧縮空気開閉弁１１を開き圧縮空気供給管１２を通じ、接続ホース３０内へ圧縮空気を圧送すれば、空気圧により接続ホース３０内の残留生コンクリートはホース出口３０１を経て排出される。
【０００８】
【発明の効果】
本発明によれば、生コンクリートを生コンクリートポンプ車から現場に供給投入される接続ホースにおいて、圧縮空気供給管付きの継合せ管が常時接続されているので、生コンクリートの供給が停止されると、いつでも圧縮空気を作動でき、接続ホースの内部に残存している生コンクリートを排出することができ、接続ホース内の残留物排除が容易にできることになった。　また、閉止蓋を取り付けた継合せ管を接続ホースに接続すれば、ポンプ車から離れた場所で、接続ホース内の残留物排除ができることになった。
【図面の簡単な説明】
【図１】本発明の実施の形態を示す全体説明図である。
【図２】本発明の継合せ管の断面図である。
【図３】本発明の接続ジョイントの説明図である。
【図４】本発明の別の実施の形態を示す全体説明図である。
【図５】本発明のさらに別の実施の形態を示す部分説明図である。
【図６】本発明の別の継合せ管の断面図である。
【符号の説明】
１０　　　　　　　　　継合せ管
１１　　　　　　　　　圧縮空気開閉弁
１２　　　　　　　　　圧縮空気供給管
２０　　　　　　　　　配管
２０Ｂ　　　　　　　　ブーム
３０、３０Ｂ　　　　　接続ホース
３０１、３０１Ｂ　　　ホース出口
４０、４０Ｂ　　　　　生コンクリートポンプ車
４１、４１Ｂ、４０Ｃ　　圧縮空気源
１１０Ｃ　　　　　　　閉止蓋
【図１】
2004034431.tif 000003
【図２】
2004034431.tif 000004
【図３】
2004034431.tif 000005
【図４】
2004034431.tif 000006
【図５】
2004034431.tif 000007
【図６】
2004034431.tif 000008